(57)【要約】【課題】  受け皿に溜ったメダルをメダル収納箱に移し替える際、メダルの掻き出しを許容し、効率の良い移し替えを可能にしながらも、コストの増加を最小限に抑える。【解決手段】  マシン正面からメダルを払い出すメダル払出口１１１と、払い出されたメダルを受ける受け皿１０４とを備えるスロットマシン１００であって、受け皿１０４の前壁部１０４ｂに、前方に膨出する膨出部１０４ｄを形成し、この膨出部１０４ｄによってメダルの掻き出しをガイドする。  また、メダル払出口１１１は、膨出部１０４ｄに対して左右いずれかの方向にオフセットし、膨出部１０４ｄは、マシン正面の左右中心部に形成する。【選択図】      図３
2007014450.tif 000002
【特許請求の範囲】
【請求項１】
マシン正面からメダルを払い出すメダル払出口と、払い出されたメダルを受ける受け皿と、を備えるスロットマシンであって、
前記受け皿の前壁部に、メダルの掻き出しをガイドする、マシン正面の前方に膨出する膨出部を備えることを特徴とするスロットマシン。
【請求項２】
前記メダル払出口が、前記膨出部に対してマシン正面の左右いずれかの方向にオフセットされて配設される請求項１記載のスロットマシン。
【請求項３】
前記膨出部は、前記受け皿の前壁部の、マシン正面の左右中心部に形成される請求項１又は２記載のスロットマシン。
【請求項４】
前記受け皿の前壁部が、下端部を回動中心としてマシン正面の前方に傾倒可能に形成され、当該前壁部の傾倒状態においてメダルの掻き出しが行われる請求項１〜３のいずれかに記載のスロットマシン。
【請求項５】
前記受け皿の前壁部の少なくとも一部が可撓性部材からなり、当該可撓性の前壁部の撓み変形により前記膨出部が形成される請求項１〜３のいずれかに記載のスロットマシン。
【発明の詳細な説明】
【技術分野】
【０００１】
本発明は、払い出されたメダルを受け皿に受けるスロットマシンに関し、特に、受け皿に溜まったメダルをメダル収納箱に移し替える際、メダルを容易に掻き出すことができるスロットマシンに関する。
【背景技術】
【０００２】
一般に、スロットマシンの正面下部には、メダルを払い出すメダル払出口と、払い出されたメダルを受ける受け皿が設けられている。
受け皿は、所定量のメダルを溜められるように寸法が規定されているが、遊技中に多量のメダルが溜った場合や、溜ったメダルを景品と交換する場合には、受け皿からメダル収納箱（所謂ドル箱）へメダルを移し替える必要がある。
【０００３】
メダルの収納箱への移し替え作業は、通常、各遊技者によって行われる。
移し替えを行う遊技者は、一方の手でメダル収納箱を支えながら、他方の手で受け皿内のメダルを掬ってメダル収納箱に移し替えている。
しかしながら、このような移し替え方法では、一度に多くのメダルを移し替えることが不可能であるため、移し替えに時間がかかるだけでなく、メダルをこぼし易いという問題がある。
【０００４】
そこで、これまで、受け皿に溜ったメダルをメダル収納箱に容易に移し替えることができる提案がなされている（例えば、特許文献１、２参照）。
特許文献１の提案では、スロットマシンの受け皿の前部に、メダル収納箱を掛止する掛止手段と、メダルを掻き出す掻き出し口と、掻き出し口を開閉するシャッタとが設けられており、シャッタを開けた状態で、受け皿内のメダルを掻き出し口から掻き出すことにより、受け皿内のメダルがメダル収納箱に移し替えられるようになっている。
【０００５】
また、特許文献２の提案では、スロットマシンの受け皿が、ボタン操作に応じて前方に飛び出すダンパと、受け皿の前面を開口する開口扉板と、ダンパの押し込み操作に連動して傾斜動作するメダル受け部とを備えており、前方に飛び出したダンパをメダル収納箱の縁部で押し込むと、これに連動してメダル受け部が前傾し、受け皿内のメダルが一括してメダル収納箱に移し替えられるようになっている。
【０００６】
【特許文献１】特開２００３−１５４０５３号公報
【特許文献２】特開２００３−２１０６６４号公報
【発明の開示】
【発明が解決しようとする課題】
【０００７】
上述した特許文献１に記載される受け皿によれば、メダル収納箱にメダルを移し替える際、メダルを掻き出し口から掻き出すことができるので、メダルを掬い出す場合に比べて、メダルの移し替えを効率良く行うことが可能となった。
しかしながら、特許文献１では、受け皿の前部にメダル収納箱を片持ち状に掛止するので、掛止部を備えた専用のメダル収納箱が必要となるとともに、片持ち状態でメダルを満載しても掛止状態の収納箱が脱落・落下等しないための強度・構造が必要であった。このため、既存の収納箱では対応できず、実際にはこのような収納箱構造の実現は困難であった。
【０００８】
また、特許文献１の受け皿構造では、メダルの掻き出し口がスライド開閉式の扉構造になっていたため、扉の開閉部にメダルが挟まれてしまうという構造的な問題もあった。
一方、特許文献２に記載される受け皿によれば、受け皿内のメダルを一括してメダル収納箱に移し替えることは可能であったが、部品点数が多く、構造が複雑であるため、信頼性が低いだけでなく、コスト的にも問題があり、特許文献１の受け皿構造と同様、実際には実現は困難であった。
【０００９】
本発明は、以上のような従来の技術が有する課題を解決するために提案されたものであり、複雑な構造や過大な強度，専用の収納箱等を必要とすることなく、受け皿に溜ったメダルを容易かつ確実に収納箱に移し替えることができるスロットマシンの提供を目的とする。
【課題を解決するための手段】
【００１０】
上記目的を達成するため、本発明のスロットマシンは、請求項１に記載するように、マシン正面からメダルを払い出すメダル払出口と、払い出されたメダルを受ける受け皿と、を備えるスロットマシンであって、前記受け皿の前壁部に、メダルの掻き出しをガイドする、マシン正面の前方に膨出する膨出部を備える構成としてある。
【００１１】
このようにすると、受け皿で受けられて溜ったメダルをメダル収納箱に移し替える際、受け皿の前壁部に形成された膨出部を介してメダルの掻き出しが容易に行えるようになり、受け皿内のメダルを効率の良くメダル収納箱に移し替えることができる。
特に、本発明の膨出部による掻き出しガイドは、受け皿の前壁部から前方に膨出する膨出部によって行われるので、受け皿の前壁部に掻き出し口を切り欠き形成したものに比べ、掻き出されたメダルをメダル収納箱の近くまで導くことができ、その結果、メダルの移し替えが容易になるとともに、メダルをこぼす可能性も低下させることができる。
しかも、受け皿の膨出部は、成形加工等によって受け皿と一体的に容易に形成することができ、複雑な受け皿構造や専用の収納箱等を必要としないので、既存のスロットマシンや収納箱に直ちに適用することができ、コストの増加も最小限に抑えることが可能となる。
【００１２】
また、請求項２に記載するように、前記メダル払出口は、前記膨出部に対してマシン正面の左右いずれかの方向にオフセットされて配設される構成としてある。
このようにすると、メダル払出口から払い出されたメダルが膨出部を乗り越え、受け皿から落下するという不都合を回避でき、より使い易く信頼性の高い受け皿構造とすることができる。
これにより、メダルの乗り越えを考慮することなく、膨出部の勾配や形状を任意に設定し、メダルの掻き出し易さを向上させることができる。
【００１３】
また、請求項３に記載するように、前記膨出部は、前記受け皿の前壁部の、マシン正面の左右中心部に形成される構成としてある。
このようにすると、スロットマシンの前方中央に座っている遊技者の位置を基準とし、遊技者がメダルを掻き出し易い位置に膨出部が形成されるので、受け皿からメダル収納箱へのメダルの移し替えが更に容易になる。
【００１４】
また、請求項４に記載するように、前記前壁部は、下端部を回動中心としてマシン正面の前方に傾倒可能に形成され、当該前壁部の傾倒状態においてメダルの掻き出しが行われる構成とすることができる。
このようにすると、掻き出されるメダルをより前方までガイドできるので、メダル収納箱へのメダルの移し替えが更に容易になるだけでなく、メダルをこぼす可能性も更に低下させることができる。
【００１５】
さらに、請求項５に記載するように、前記受け皿の前壁部の少なくとも一部が可撓性部材からなり、当該可撓性の前壁部の撓み変形により前記膨出部が形成される構成とすることができる。
このようにすると、受け皿に溜ったメダルをメダル収納箱に移し替えるときだけ、撓み変形によって膨出部を形成できるので、通常の遊技状態では、従来の受け皿と同様に機能させながらも、受け皿内のメダルを効率の良くメダル収納箱に移し替えることができる。
【発明の効果】
【００１６】
以上のように、本発明によれば、受け皿の前壁部に、前方に膨出する膨出部を形成し、当該膨出部によってメダルの掻き出しをガイドすることができるので、受け皿に溜ったメダルをメダル収納箱に移し替える際、メダルの掻き出しが可能になり、受け皿内のメダルを効率の良くメダル収納箱に移し替えることができる。
しかも、本発明は、受け皿の前壁部に膨出部を形成する程度の簡単な変更で実施できるので、既存のスロットマシンや収納箱にそのまま適用でき、かつ、コストの増加も最小限に抑えることができる。
【発明を実施するための最良の形態】
【００１７】
以下、本発明のスロットマシンの好ましい実施形態について、図面を参照しつつ説明する。
［第一実施形態］
図１は、本発明の第一実施形態に係るスロットマシンの正面図であり、図２は、同じく本実施形態に係るスロットマシンの側面図、図３は、同じくスロットマシンの斜視図である。
これらの図に示すように、スロットマシン１００は、通常、遊技場（ホール）に設けられる設置台１０の上に並列状に設置され、遊技機島を構成している。各スロットマシン１００の前方には、遊技者用の椅子２０が設けられ、台間には、メダルの貸し出しを行うメダル貸機３０が設けられている。
設置台１０及び椅子２０の高さは、いずれも約５０ｃｍ前後（４０〜６０ｃｍ）であり、スロットマシン１００は、椅子２０に座った遊技者と向かい合うほぼ垂直な正面部１０１を有している。
【００１８】
スロットマシン１００の正面部１０１には、上側から順に、表示パネル１０２、操作部１０３及び受け皿１０４が設けられている。
表示パネル１０２には、図柄表示窓１０５が形成され、その内側に、回転可能な複数のリール１０６（１０６ａ、１０６ｂ、１０６ｃ）が並設されている。各リール１０６の周面には、回転方向に並ぶ複数種類の図柄が配列されており、これらの図柄が図柄表示窓１０５を介してマシン外部から目視される。
【００１９】
操作部１０３には、メダル投入口１０７と、メダルの賭け数を指定するベットボタン１０８と、リール１０６の回転をスタートさせるスタートレバー１０９と、各リール１０６の回転をストップさせる複数のストップボタン１１０（１１０ａ、１１０ｂ、１１０ｃ）が設けられている。
受け皿１０４の上側近傍には、メダル払出口１１１が形成されており、ここから払い出されたメダルが受け皿１０４で受けられ、所定量のメダルが受け皿１０４に溜められる。また、受け皿１０４の左側には、通常、灰皿１１２が設けられている。
そして、本実施形態では、この受け皿１０４に後述する膨出部１０４ｄが設けられ、受け皿１０４に溜められたメダルの取り出しが容易に行えるようになっている（図３参照）。
【００２０】
次に、スロットマシン１００の遊技方法について説明する。
まず、遊技者は、メダル貸機３０に現金又はプリペイドカードを投入し、所定の単価でメダルを借りる。
次に、ゲームの開始に先立ち、スロットマシン１００にメダルを賭ける。メダルを賭ける方法としては、メダル投入口１０７にメダルを投入する方法や、ベットボタン１０８でメダル賭け数を指定する方法がある。
メダルを賭けたら、スタートレバー１０９を押下し、ゲームをスタートさせる。ゲームがスタートすると、各リール１０６が回転し、図柄表示窓１０５内で図柄が変動表示される。
【００２１】
遊技者は、回転している各リール１０６の図柄を見ながら、各ストップボタン１１０を順番に押し、各リール１０６の回転を停止させる。全てのリール１０６が停止すると、図柄表示窓１０５内に複数の図柄が並び、その配列にもとづいて入賞が決定される。停止した図柄配列が入賞役である場合は、入賞役に応じた枚数のメダルがメダル払出口１１１から払い出される。
これらの操作は、遊技者が行うゲームの回数分だけ繰り返される。
【００２２】
遊技中、受け皿１０４に多量のメダルが溜った場合や、溜ったメダルを景品と交換する場合には、受け皿１０４内のメダルをメダル収納箱４０に移し替える。
そして、本実施形態に係る受け皿１０４は、このメダルの移し替え作業を容易にする構造となっており、以下、この受け皿１０４について具体的に説明する。
ここで、まずメダル収納箱４０は、例えば図２に示すように、椅子２０の遊技者の股間部分に置かれ、遊技者が両足で挟持したり手で押さえることで保持された状態でメダルの移し替えが行われる。
【００２３】
受け皿１０４は、図３に示すように、メダルを受ける底部１０４ａと、底部１０４ａの前端から上方に立ち上がる前壁部１０４ｂと、底部１０４ａの左右端から上方に立ち上がる左右の側壁部１０４ｃとを一体に備えて構成されており、前壁部１０４ｂには、本発明の特徴である膨出部１０４ｄが形成されている。
膨出部１０４ｄは、前壁部１０４ｂから部分的に前方に膨出しており、受け皿１０４に溜ったメダルをメダル収納箱４０に移し替える際、メダルの掻き出しガイドとして機能する。例えば、本実施形態の膨出部１０４ｄは、側方から見て、ほぼ４５゜の勾配で前方に傾斜状に膨出し、また、上方から見て、前方に円弧状に膨出することにより、メダルの掻き出しを良好にガイドすることができる。特に、メダルを掻き出す手の指先に沿うように膨出部１０４ｄの円弧寸法を設定すれば、効率良くメダルを掻き出すことが可能になる。
【００２４】
受け皿１０４の前壁部１０４ｂに、このような膨出部１０４ｄを形成すると、受け皿１０４に溜ったメダルをメダル収納箱４０に移し替える際、メダルの掻き出しが可能になるので、受け皿１０４内のメダルを効率の良くメダル収納箱４０に移し替えることができる。
また、本実施形態の膨出部１０４ｄは、受け皿１０４の成形段階で同時形成できるので、コストの増加も最小限に抑えることができる。
また、受け皿１０４の前壁部１０４ｂから前方に膨出する膨出部１０４ｄによってメダルの掻き出しをガイドするので、受け皿１０４の前壁部１０４ｂに掻き出し口を切り欠き形成する場合に比べ、掻き出されたメダルをメダル収納箱４０まで確実に導くことができる。
【００２５】
また、受け皿１０４の前壁部１０４ｂに膨出部１０４ｄを形成する場合、メダル払出口１１１は、膨出部１０４ｄに対して左右いずれかの方向にオフセットすることが好ましい。例えば、本実施形態のメダル払出口１１１は、正面から見て、膨出部１０４ｄの右側にオフセットされている。
このようにすると、受け皿１０４の前壁部１０４ｂに緩勾配の膨出部１０４ｄを形成しても、メダル払出口１１１から払い出されたメダルが膨出部１０４ｄを乗り越える不都合がない。これにより、メダルの乗り越えを考慮することなく、膨出部１０４ｄの勾配や形状を任意に設定し、メダルの掻き出し易さを更に向上させることができる。
【００２６】
また、受け皿１０４の前壁部１０４ｂに膨出部１０４ｄを形成する場合、膨出部１０４ｄの形成位置は、スロットマシン正面部１０１の左右中心線上とすることが好ましい。例えば、図３に示すように、スロットマシン１００の左右幅が２Ａである場合、膨出部１０４ｄの中心からスロットマシン１００の左右端までの距離をＡとする。
このようにすると、スロットマシン１００の前方中央に座っている遊技者の位置を基準とし、遊技者がメダルを掻き出し易い位置に膨出部１０４ｄが形成されるので、受け皿１０４からメダル収納箱４０へのメダルの移し替えが更に容易になる。
【００２７】
次に、受け皿１０４からメダル収納箱４０へのメダルの移し替え方法について説明する。
遊技中、受け皿１０４に多量のメダルが溜った場合や、溜ったメダルを景品と交換する場合には、図２に示すように、椅子２０の遊技者股間部分にメダル収納箱４０を載置し、遊技者が足や手でメダル収納箱４０を押さえて保持する。このとき、受け皿１０４とメダル収納箱４０は離間していてもよいが、膨出部１０４ｄの下方にメダル収納箱４０を位置させる。
そして、この状態で受け皿１０４内に溜ったメダルを膨出部１０４ｄから掻き出す。このとき、掻き出されるメダルは、膨出部１０４ｄによって左右方向の掻き出し位置が規定されるだけでなく、膨出部１０４ｄによってメダル収納箱４０の上方まで導かれるので、メダル収納箱４０内に確実に移し替えられる。
【００２８】
以上のように構成された第一実施形態のスロットマシン１００によれば、受け皿１０４の前壁部１０４ｂに、前方に膨出する膨出部１０４ｄを形成し、この膨出部１０４ｄによってメダルの掻き出しをガイドするので、受け皿１０４に溜ったメダルをメダル収納箱４０に移し替える際、膨出部１０４ｄの形状に沿ってメダルの掻き出しがガイド・許容され、受け皿１０４内のメダルを効率の良くメダル収納箱４０に移し替えることができる。
しかも、受け皿１０４の前壁部１０４ｂに膨出部１０４ｄを形成する程度の簡単な変更で実施できるので、コストの増加も最小限に抑えることができる。
【００２９】
また、受け皿１０４の前壁部１０４ｂから前方に膨出する膨出部１０４ｄによってメダルの掻き出しをガイドするので、受け皿１０４の前壁部１０４ｂに掻き出し口を切り欠き形成する場合に比べ、掻き出されたメダルをメダル収納箱４０の近くまで導くことができ、その結果、メダルの移し替えが容易になるとともに、メダルをこぼす可能性も低下させることができる。
【００３０】
また、メダル払出口１１１は、膨出部１０４ｄに対して左右いずれかの方向にオフセットされるので、メダル払出口１１１から払い出されたメダルが膨出部１０４ｄを乗り越え、受け皿１０４から落下するという不都合を回避できる。これにより、メダルの乗り越えを考慮することなく、膨出部１０４ｄの勾配や形状を任意に設定し、メダルの掻き出し易さを向上させることができる。
【００３１】
また、膨出部１０４ｄは、マシン正面の左右中心部に形成されるので、スロットマシン１００の前方中央に座っている遊技者の位置を基準とし、遊技者がメダルを掻き出し易い位置に膨出部１０４ｄを形成でき、その結果、受け皿１０４からメダル収納箱４０へのメダルの移し替えが更に容易になる。
【００３２】
［第二実施形態］
次に、本発明の第二実施形態について、図４及び図５を参照して説明する。
なお、本実施形態は、上述した第一実施形態の変更形態であり、第一実施形態と共通の構成については、第一実施形態と同じ符号を付し、第一実施形態の説明を援用する。
【００３３】
図４は、本発明の第二実施形態に係るスロットマシンの通常状態を示す斜視図、図５は、本発明の第二実施形態に係るスロットマシンのメダル掻き出し状態を示す斜視図である。
これらの図に示すように、第二実施形態の受け皿１１３は、下端部を回動中心とする前壁部１１４の前方への傾倒操作を許容し、当該傾倒操作状態でメダルの掻き出しを行う点が第一実施形態の受け皿１０４と相違している。
このようにすると、掻き出されるメダルをより前方までガイドできるので、メダル収納箱４０へのメダルの移し替えが更に容易になるだけでなく、メダルをこぼす可能性も更に低下させることができる。
【００３４】
具体的に説明すると、第二実施形態の受け皿１１３では、少なくとも前壁部１１４が別体で構成される。前壁部１１４の下端部は、ピアノ蝶番１１５を介して、受け皿１１３の前端部に前後回動自在に連結され、下端部を回動中心とする前方への傾倒操作が許容される。前壁部１１４の傾倒角度に制限はないが、７０゜〜８０゜が好ましい。このようにすると、メダルのこぼれを避けつつ、掻き出されるメダルをより前方までガイドできる。
【００３５】
第二実施形態の前壁部１１４にも、第一実施形態と同様に膨出部１１４ａが形成される。第二実施形態の膨出部１１４ａは、前壁部１１４が直立状態のとき前方に膨出する必要はなく、前壁部１１４が前方に傾倒操作されたとき前方に膨出する形状であればよい。例えば、図４及び図５に示す膨出部１１４ａは、前壁部１１４の一部を高くすることにより形成され、前壁部１１４を前方へ傾倒操作したとき、前方へ膨出してメダルの掻き出しガイドを行う。
【００３６】
第二実施形態においても、メダル払出口１１１は、膨出部１１４ａに対して左右いずれかの方向にオフセットすることが好ましい。例えば、本実施形態のメダル払出口１１１は、正面から見て、膨出部１１４ａの右側にオフセットされている。
このようにすると、メダルの移し替えを行った後、前壁部１１４を直立状態に戻し忘れても、メダル払出口１１１から払い出されたメダルが膨出部１１４ａを乗り越える不都合がない。
【００３７】
また、第二実施形態においても、膨出部１１４ａの形成位置は、スロットマシン正面部１０１の左右中心線上とすることが好ましい。例えば、図５に示すように、スロットマシン１００の左右幅が２Ａである場合、膨出部１１４ａの中心からスロットマシン１００の左右端までの距離をＡとする。
このようにすると、スロットマシン１００の前方中央に座っている遊技者の位置を基準とし、遊技者がメダルを掻き出し易い位置に膨出部１１４ａが形成されるので、受け皿１１３からメダル収納箱４０へのメダルの移し替えが更に容易になる。
【００３８】
前壁部１１４には、回動規制用のロックピン１１６を設けることが好ましい。例えば、前壁部１１４の側部１１４ｂに出没自在なロックピン１１６を設け、これを受け皿１１３の側部１１３ａに形成した係合孔１１３ｂに係合させることにより、前壁部１１４の回動規制を行う。ロックピン１１６による回動規制は、前壁部１１４の起立状態で行えば十分であり、ロックピン１１６のロック解除操作後、前壁部１１４の傾倒操作を行うようにする。
このようにすると、通常の遊技状態において、前壁部１１４が不意に傾倒するような不都合を回避できる。
なお、ロックピン１１６は、バネによって係合方向に付勢し、回動規制位置で自動的に係合孔１１３ｂに係合させることが好ましい。
【００３９】
また、本実施形態では、前壁部１１４の側部１１４ｂと、受け皿１１３の側部１１３ａとの対向面に凹凸加工を施し、両側部１１３ａ、１１４ｂ間でのメダルの挟み込みを防止している。この凹凸加工は、例えば、前壁部１１４の回動支点を中心とする円弧に沿い、複数の凹凸を並列状に形成することにより行われる。
このようにすると、側部１１３ａ、１１４ｂ間におけるメダルの挟み込みにより、前壁部１１４の円滑な傾倒操作が阻害される不都合を回避できる。
【００４０】
［第三実施形態］
次に、本発明の第三実施形態について、図６及び図７を参照して説明する。
なお、本実施形態においても、第一実施形態と共通の構成については、第一実施形態と同じ符号を付し、第一実施形態の説明を援用する。
【００４１】
図６は、本発明の第三実施形態に係るスロットマシンの通常状態を示す斜視図、図７は、本発明の第三実施形態に係るスロットマシンのメダル掻き出し状態を示す斜視図である。
これらの図に示すように、第三実施形態の受け皿１１７は、前壁部１１７ａの少なくとも一部が可撓性の材質からなり、その撓み変形によって膨出部１１７ｂを形成する点が第一実施形態と相違している。
このようにすると、受け皿１１７に溜ったメダルをメダル収納箱４０に移し替えるときだけ、撓み変形によって膨出部１１７ｂを形成できるので、通常の遊技状態では、従来の受け皿と同様に機能させながらも、受け皿１１７内のメダルを効率の良くメダル収納箱４０に移し替えることができる。
【００４２】
具体的に説明すると、受け皿１１７の前壁部１１７ａは、例えば、ゴム素材などの可撓性部材からなり、通常の遊技状態では、図６に示すように、直立状態を維持することができる。
受け皿１１７に溜ったメダルをメダル収納箱４０に移し替える際には、前壁部１１７ａを前方へ引張り、部分的に撓み変形を生じさせる。そして、撓み変形により形成された膨出部１１７ｂをガイドとし、メダルの掻き出しを行う。
移し替えが終了した後は、遊技者が前壁部１１７ａを直立状態に戻してもよいが、前壁部１１７ａの弾性復元力で自動的に直立状態に戻ることが好ましい。
【００４３】
以上、本発明のスロットマシンについて、好ましい実施形態を示して説明したが、本発明に係るスロットマシンは、上述した実施形態にのみ限定されるものではなく、本発明の範囲で種々の変更実施が可能であることは言うまでもない。
【産業上の利用可能性】
【００４４】
本発明は、マシン正面からメダルを払い出すメダル払出口と、払い出されたメダルを受ける受け皿とを備えるスロットマシンに好適に利用することができる。
特に、本発明によれば、受け皿に溜ったメダルをメダル収納箱に移し替える際、メダルの掻き出しを許容し、効率の良い移し替えを可能にしながらも、コストの増加を最小限に抑えることができる。
【図面の簡単な説明】
【００４５】
【図１】本発明の第一実施形態に係るスロットマシンの正面図である。
【図２】本発明の第一実施形態に係るスロットマシンの側面図である。
【図３】本発明の第一実施形態に係るスロットマシンの斜視図である。
【図４】本発明の第二実施形態に係るスロットマシンの通常状態を示す斜視図である。
【図５】本発明の第二実施形態に係るスロットマシンのメダル掻き出し状態を示す斜視図である。
【図６】本発明の第三実施形態に係るスロットマシンの通常状態を示す斜視図である。
【図７】本発明の第三実施形態に係るスロットマシンのメダル掻き出し状態を示す斜視図である。
【符号の説明】
【００４６】
１０  設置台
２０  椅子
３０  メダル貸機
４０  メダル収納箱
１００  スロットマシン
１０１  正面部
１０２  表示パネル
１０３  操作部
１０４  受け皿
１０４ａ  底部
１０４ｂ  前壁部
１０４ｃ  側壁部
１０４ｄ  膨出部
１１３  受け皿
１１３ａ  側部
１１３ｂ  係合孔
１１４  前壁部
１１４ａ  膨出部
１１４ｂ  側部
１１５  ピアノ蝶番
１１６  ロックピン
１１７  受け皿
１１７ａ  前壁部
１１７ｂ  膨出部
【図１】
2007014450.tif 000003
【図２】
2007014450.tif 000004
【図３】
2007014450.tif 000005
【図４】
2007014450.tif 000006
【図５】
2007014450.tif 000007
【図６】
2007014450.tif 000008
【図７】
2007014450.tif 000009